(57)【要約】【課題】ハンガー掛けからハンガーを取外すことなく装着させることができる簡単な構造の洋服カバーを提供する。【解決手段】洋服の前面をカバーする前面シート１１と、洋服の背面をカバーする背面シート１４と、前面シート１１の背面シートに対向する面に重合された前面側重合シート１２と、背面シート１４の前面シートに対向する面に重合された背面側重合シート１３とを備え、前面シート１１と背面シート１４とが、互いの上縁を含む第１接合部１５で接合され、下および左右方向一方側に開いた第１袋状部２１を形成し、前面シート１１と前面側重合シート１２とが互いの上縁を含む第２接合部２２で接合され、下に開いた第２袋状部２２を形成し、背面シート１４と背面側重合シート１３とが互いの上縁を含む第３接合部１７で接合され、下に開いた第３袋状部２３を形成するように構成する。【選択図】図３
2008110133.tif 000002
【特許請求の範囲】
【請求項１】
ハンガーに掛けられた洋服に装着させる洋服カバーであって、
洋服の前面をカバーする可撓性の前面シートと、
洋服の背面をカバーする可撓性の背面シートと、
上記前面シートの上記背面シートに対向する面の左右方向一方側に重合された可撓性の前面側重合シートと、
上記背面シートの上記前面シートに対向する面の上記左右方向一方側に重合された可撓性の背面側重合シートとを備え、
上記前面シートと上記背面シートとが、左右方向他方側において互いの上縁を含む第１接合部で接合され、下および上記左右方向一方側に開いた第１袋状部を形成し、
上記前面シートと上記前面側重合シートとが互いの上縁を含む第２接合部で接合され、下に開いた第２袋状部を形成し、
上記背面シートと上記背面側重合シートとが互いの上縁を含む第３接合部で接合され、下に開いた第３袋状部を形成することを特徴とする洋服カバー。
【請求項２】
上記第２接合部の上端部および上記第３接合部の上端部と、上記第１接合部の上端部とは、所定長さをもって離間していることを特徴とする請求項１記載の洋服カバー。
【請求項３】
上記第２袋状部および上記第３袋状部の開口縁は、下に凸に湾曲していることを特徴とする請求項１または２記載の洋服カバー。
【請求項４】
上記前面シートおよび上記背面シートは、洋服の腹部相当位置より上部をカバーする丈であることを特徴とする請求項１乃至３の何れか１項に記載の洋服カバー。
【発明の詳細な説明】
【技術分野】
【０００１】
本発明は、ハンガーに掛けられた洋服に装着させる洋服カバーに関し、特にハンガー掛けからハンガーを取外すことなく装着させることができる洋服カバーに関する。
【背景技術】
【０００２】
従来、ハンガーに掛けられた洋服を塵埃等から保護するため、これに装着させる洋服カバーが知られている。一般的な洋服カバーとして、例えば洋服の前面をカバーする前面シートと背面をカバー背面シートとを備え、これらを下に開いた袋状に接合し、上縁略中央部にハンガーフック取出口を穿設したものがある。
【０００３】
ハンガーに掛けられた洋服にこの洋服カバーを装着させるには、洋服カバーを、その開口部を下にして洋服の上から被せれば良いのであるが、その際、一度ハンガーをハンガー掛けから取外す必要がある。洋服カバーのハンガーフック取出口にハンガーフックを通さなければならないからである。装着した洋服カバーを取外す場合も同様である。
【０００４】
そこで、より手軽に効率良く装着させることができる洋服カバー、換言すればハンガー掛けからハンガーを取外すことなく装着させることができる洋服カバーが望まれる。
【０００５】
例えば特許文献１には、ハンガー掛けからハンガーを取外すことなく装着させることができる防虫カバーが開示されている。この防虫カバーは、上縁にハンガーフック取出口が設けられるとともに下縁と左右縁が閉じられている。前面シートは左右に分割されており、左右中央部に重なり部を有している。左右のシートはそれぞれ中央側（重なり部）から外側に開くことができ、そうすることによりハンガーフック取出口と連続する上部前面が大きく開口するようになっている。但し前面シートには、その開口を阻止する封止手段（シール材等）が設けられており、その封止手段が解除されたときのみ開口可能となっている。
【０００６】
この防虫カバーの構造を洋服カバーにも適用することができる。その洋服カバーをハンガーに掛けられた洋服に装着させるには、まず封止手段を解除して上部前面を開口させ、その開口部を通して洋服を洋服カバー内に収納する。このとき、開口部とハンガーフック取出口とが連続しているので、ハンガーをハンガー掛けから取外さなくてもハンガーフックより下部のみを洋服カバーに収納することができる。洋服を洋服カバー内に収納したら開口させた前面シートを閉じ、封止手段で封止する。こうするとハンガーフック取出口が必要な大きさのみ開口するので、洋服カバーの脱落が防止され、適正な装着が完了する。
【特許文献１】特開２００２−３２０５４４号公報
【発明の開示】
【発明が解決しようとする課題】
【０００７】
しかしながら、ハンガー掛けからハンガーを取外すことなく装着させることができる従来の洋服カバーは、特許文献１に示されるように何らかの封止手段（上記シール材のほか、ボタン、ファスナ、面ファスナ等も含む）を必要とするものであった。そのため構造が比較的複雑となり、コスト低減の障害となっていた。
【０００８】
本発明は上記事情に鑑み、ハンガー掛けからハンガーを取外すことなく装着させることができる簡単な構造の洋服カバーを提供することを目的とする。
【課題を解決するための手段】
【０００９】
上記課題を解決するための請求項１に係る発明は、ハンガーに掛けられた洋服に装着させる洋服カバーであって、洋服の前面をカバーする可撓性の前面シートと、洋服の背面をカバーする可撓性の背面シートと、上記前面シートの上記背面シートに対向する面の左右方向一方側に重合された可撓性の前面側重合シートと、上記背面シートの上記前面シートに対向する面の上記左右方向一方側に重合された可撓性の背面側重合シートとを備え、上記前面シートと上記背面シートとが、左右方向他方側において互いの上縁を含む第１接合部で接合され、下および上記左右方向一方側に開いた第１袋状部を形成し、上記前面シートと上記前面側重合シートとが互いの上縁を含む第２接合部で接合され、下に開いた第２袋状部を形成し、上記背面シートと上記背面側重合シートとが互いの上縁を含む第３接合部で接合され、下に開いた第３袋状部を形成することを特徴とする。
【００１０】
請求項２に係る発明は、請求項１記載の洋服カバーにおいて、上記第２接合部の上端部および上記第３接合部の上端部と、上記第１接合部の上端部とは、所定長さをもって離間していることを特徴とする。
【００１１】
請求項３に係る発明は、請求項１または２記載の洋服カバーにおいて、上記第２袋状部および上記第３袋状部の開口縁は、下に凸に湾曲していることを特徴とする。
【００１２】
請求項４に係る発明は、請求項１乃至３の何れか１項に記載の洋服カバーにおいて、上記前面シートおよび上記背面シートは、洋服の腹部相当位置より上部をカバーする丈であることを特徴とする。
【発明の効果】
【００１３】
請求項１の発明による洋服カバーは、以下説明するように４枚の可撓性シート（前面シート、前面側重合シート、背面シート、背面側重合シート）からなる簡単な構造でありながら、ハンガー掛けからハンガーを取外すことなくそのハンガーに掛けられた洋服に装着させることができる。
【００１４】
本発明の洋服カバーは、次の手順によってハンガーに掛けられた洋服に装着させることができる。
【００１５】
まず第１段階として、作業者は第１袋状部の側方開口部を洋服に向け、側方から接近させる。そして第１袋状部に洋服の一方の肩部を収納させる。この作業は、第１袋状部の側方開口部が開口しているので、ハンガーフックをハンガー掛けから取外さなくても容易に行うことができる。
【００１６】
次の第２段階では、作業者は洋服の背後にある背面側重合シートを洋服の前面に回し掛ける。すなわち第３袋状部に洋服の他方の肩部を収納させる。これにより背面シートの位置規制がなされる。
【００１７】
次の第３段階では、作業者は洋服の前面にあってまだ位置規制されていない前面側重合シートを背面シートの背面に回し掛ける。すなわち第２袋状部に洋服の他方の肩部を収納させる。これにより前面シートの位置規制がなされる。またこの作業は、第２接合部と第３接合部とを重ねることによって前面シートの上縁と背面シートの上縁とを係合させる（閉じる）ことでもある。
【００１８】
第３段階が完了した時点で、洋服カバーの上縁が閉じて下縁の開放した袋形状が完成するとともに、各シートの位置規制も完了する。すなわちハンガーフックをハンガー掛けから取外すことなく洋服カバーの装着が完了する。
【００１９】
請求項２の発明によると、上記第２接合部の上端部および上記第３接合部の上端部と、上記第１接合部の上端部との間に所定長さのハンガーフック取出口を形成することができる。その長さとしては１〜８ｃｍ程度、望ましくは３ｃｍ程度が好適である。
【００２０】
請求項３の発明によると、前面側重合シートおよび背面側重合シートの適度な撓みを利用して、第２袋状部および第３袋状部に洋服の肩部を収納する作業を容易にすることができる。
【００２１】
請求項４の発明によると、このような比較的手軽に使用される洋服カバーにおいて、本発明の効果を顕著に奏することができる。
【発明を実施するための最良の形態】
【００２２】
本発明に係る洋服カバーの一実施形態について、以下図面を参照しつつ説明する。
【００２３】
図１は、洋服カバー１の装着状態を示す正面図である。なお以下の図において左右方向を指すときは、洋服カバー１を裏側から見た状態を指すものとする（図１は洋服カバー１を表側から見た図であり、左右が逆になる）。洋服カバー１は、ハンガーフック６０を図略のハンガー掛けから取外すことなく装着および脱離可能である。洋服カバー１は、ショルダーカバーとも呼ばれるタイプであって、主に肩にかかる塵埃等から洋服５０を保護するものである。従って洋服カバー１は洋服５０の腹部相当位置より上部をカバーする、比較的短い丈となっている。
【００２４】
洋服カバー１を構成する主な要素は、洋服５０の前面をカバーする前面シート１１と、洋服５０の背面をカバーする背面シート１４と、前面シート１１の左内側に重合された前面側重合シート１２および背面シート１４の左内側に重合された背面側重合シート１３（これらについては後に詳述する）とである。これら４枚のシートは何れも可撓性の柔軟な素材からなり、例えばＰＰ（ポリプロピレン）製の不織布等が好適である。その他ＰＰ製フィルムや織布等を用いても良い。
【００２５】
前面シート１１の外表面左側（前面シート１１を挟んで前面側重合シートの反対側）には名札等を収納するネームホルダ３０が設けられている。ネームホルダ３０は収納された名札等が見えるように透明な素材からなり、例えばＰＰ製透明フィルム等が好適である。
【００２６】
図２は、洋服カバー１の分解斜視図である。またこの図は、各シートの接合前の状態を示す図でもある。この図に示すように、前面シート１１は、上縁から側縁上部にかけて上方に湾曲したアーチ状の形状である。詳しくは前面シート１１の外縁は、左右に延びる直線状の下縁１１ｄと、下縁１１ｄの右端（点Ｂ１）から上方に延びつつ、上方に向かうほど左右中央寄りに湾曲する第１上側縁１１ａと、下縁１１ｄの左端（点Ｄ１）から上方に延びつつ、上方に向かうほど左右中央寄りに湾曲して第１上側縁１１ａに繋がる第２上側縁１１ｂとからなる。第１上側縁１１ａは右側の上縁および側縁（以下まとめて上側縁ともいう）を形成し、第２上側縁１１ｂは左側の上側縁を形成する。下縁１１ｄには予め縁取り用のバイアス巻きが施されている。
【００２７】
第１上側縁１１ａの上端（左右方向中央位置）よりもやや右寄りに点Ａ１が設定されている。また第２上側縁１１ｂの上端（左右方向中央位置）よりもやや左寄りに点Ｃ１が設定されている。この点Ａ１と点Ｃ１との間の部分は、洋服カバー１の装着時にハンガーフック取出口３（図１参照）の前面側が形成される部分である。また点Ａ１よりもやや右寄りに点Ｅ１が設定されている。前面シート１１の前面の適宜位置、当実施形態では左下寄り位置に、予めネームホルダ３０が設けられている。
【００２８】
前面側重合シート１２は、正面視で前面シート１１の点Ｃ１，点Ｄ１に対応する点Ｃ２，点Ｄ２を頂点とする舟形の形状である。その舟形の一辺である上側縁１２ｂは、前面シート１１の第１上側縁１１ｂと同形である。また舟形の他辺である下側縁１２ｄは、下に凸に湾曲している。上側縁１２ｂは前面側重合シート１２の上縁および左側縁を形成し、下側縁１２ｄは下縁および右側縁を形成する。下側縁１２ｄには予め縁取り用のバイアス巻きが施されている。
【００２９】
背面シート１４は、前面シート１１と同形のアーチ状の形状である。詳しくは背面シート１４の外縁は、左右に延びる直線状の下縁１４ｄと、下縁１４ｄの右端（点Ｂ４）から上方に延びつつ、上方に向かうほど左右中央寄りに湾曲する第１上側縁１４ａと、下縁１４ｄの左端（点Ｄ４）から上方に延びつつ、上方に向かうほど左右中央寄りに湾曲して第１上側縁１４ａに繋がる第３上側縁１４ｃとからなる。第１上側縁１４ａは右側の上側縁を形成し、第３上側縁１４ｃは左側の上側縁を形成する。下縁１４ｄには予め縁取り用のバイアス巻きが施されている。
【００３０】
背面シート１４の、正面視で前面シート１１の点Ａ１，Ｃ１に対応する位置に点Ａ４，Ｃ４が設定されている。この点Ａ４と点Ｃ４との間の部分は、洋服カバー１の装着時にハンガーフック取出口３（図１参照）の背面側が形成される部分である。また正面視で前面シート１１の点Ｅ１に対応する位置に点Ｅ４が設定されている。
【００３１】
背面側重合シート１３は前面側重合シート１２と同形であり、正面視で背面シート１４の点Ｃ４，点Ｄ４に対応する点Ｃ３，点Ｄ３を頂点とする舟形の形状である。その舟形の一辺である上側縁１３ｃは、背面シート１４の第３上側縁１４ｃと同形である。また舟形の他辺である下側縁１３ｄは、下に凸に湾曲している。上側縁１３ｃは背面側重合シート１３の上縁および左側縁を形成し、下側縁１３ｄは下縁および右側縁を形成する。下側縁１３ｄには予め縁取り用のバイアス巻きが施されている。
【００３２】
洋服カバー１を製造するにあたり、図２に示す状態から各シートの接合が行われる。まず、前面シート１１と前面側重合シート１２との接合と、背面シート１４と背面側重合シート１３との接合とがそれぞれ行われる。
【００３３】
前面シート１１と前面側重合シート１２との接合は、前面シート１１の第２上側縁１１ｂと前面側重合シート１２の上側縁１２ｂとを接合することによってなされる。この接合部は図３に示す第２接合部１６となる。接合は縁取りも兼ねてバイアス巻きにて行われるが、バイアス巻きの上端は第２接合部１６の上端（点Ｃ１，Ｃ２）よりも右寄りの点Ｅ１とされる。従って前面シート１１の点Ｃ１〜点Ｅ１の区間では縁取り専用のバイアス巻きとなる。
【００３４】
同様に背面シート１４と背面側重合シート１３との接合は、背面シート１４の第３上側縁１４ｃと背面側重合シート１３の上側縁１３ｃとを接合することによってなされる。この接合部は図３に示す第３接合部１７となる。接合は縁取りも兼ねてバイアス巻きにて行われるが、バイアス巻きの上端は第３接合部１７の上端（点Ｃ３，Ｃ４）よりも右寄りの点Ｅ４とされる。従って背面シート１４の点Ｃ４〜点Ｅ４の区間では縁取り専用のバイアス巻きとなる。
【００３５】
次に前面シート１１と背面シート１４との接合が行われる。この接合は、前面シート１１の第１上側縁１１ａと背面シート１４の第１上側縁１４ａとを接合することによってなされる。この接合部は図３に示す第１接合部１５となる。接合は縁取りも兼ねてバイアス巻きにて行われる。バイアス巻きの上端は点Ａ１である。区間Ａ１〜Ｅ１および区間Ａ４〜Ｅ４では、第２接合部１６や第３接合部１７から延長されたバイアス巻きの上に第１接合部１５のバイアス巻きが重複する。こうすることにより、第２接合部１６および第３接合部１７から延長された各バイアス巻きの上端部が隠されて見栄えが向上する。
【００３６】
図３は洋服カバー１の完成状態を示す斜視図である。上述のように各シートが接合されているので、洋服カバー１には、３つの袋状部すなわち第１〜第３袋状部２１，２２，２３が形成される。第１袋状部２１は、前面シート１１と背面シート１４とで形成される袋状部であって、第１接合部１５（右側の上側縁）で閉じられ、下および左側に開いている。第２袋状部２２は、前面シート１１と前面側重合シート１２とで形成される袋状部であって、第２接合部１６（左側の上側縁）で閉じられ、下に開いている。第３袋状部２３は、背面シート１４と背面側重合シート１３とで形成される袋状部であって、第３接合部１７（左側の上側縁）で閉じられ、下に開いている。
【００３７】
なお第１接合部１５から第２接合部１６と第３接合部１７とに分かれる分岐点（点Ａ１，Ａ４に相当する箇所）は、装着時にハンガーフック取出口３の右端３ａとなる部位である。また第２接合部１６の上端（点Ｃ１，Ｃ２に相当する箇所）及び第３接合部１７の上端（点Ｃ３，Ｃ４に相当する箇所）は、装着時にハンガーフック取出口３の左端３ｂとなる部位である。従って距離３ａ〜３ｂはハンガーフック取出口３の幅となるが、その長さは当実施形態では３ｃｍに設定されている。好適な範囲としては１〜８ｃｍ程度である。
【００３８】
ところで洋服カバー１の装着状態における適正形状は、ハンガーフック取出口３を除く上側縁が閉じるとともに下縁が開放した袋形状である。図３に示す洋服カバー１の単独状態では、その袋形状の右側（第１袋状部２１）が既に完成しているものの、左側が未完である。第２接合部１６と第３接合部１７とが分離して開放状態となっているからである。洋服カバー１は、装着の過程において第２接合部１６と第３接合部１７とが係合し、閉じることによって袋形状の左側が完成するように構成されている。
【００３９】
次に洋服カバー１の装着方法について説明する。
【００４０】
図４は洋服カバー１の装着前の状態を示す説明図である。この図に示すように、洋服カバー１を洋服５０に装着させるには、まず第１段階として、第１袋状部２１の左開口部を洋服５０の右側に向け、側方から接近させる（接近方向を矢印で示す）。
【００４１】
図５は洋服カバー１の装着途中状態を示す説明図であって、（ａ）は第１段階完了時点、（ｂ）は第２段階完了時点の各状態を示す。なお図５（ａ）、（ｂ）では説明の都合上、前面側重合シート１２を含む前面シート１１の左側を切欠いて示している。
【００４２】
図５（ａ）に示すように、第１段階で作業者は第１袋状部２１に洋服５０の右肩部を収納させる。この作業は、第１袋状部２１の左側が開口しているので、ハンガーフック６０をハンガー掛けから取外さなくても容易に行うことができる。第１段階完了時点で、ハンガーフック６０はハンガーフック取出口３の右端３ａに当接ないしは当接に近い位置にあることになる。
【００４３】
次の第２段階では、作業者は洋服５０の背後にある背面側重合シート１３を洋服５０の前面に回し掛ける。すなわち図５（ｂ）に示すように、第３袋状部２３に洋服５０の左肩部を収納させる。背面側重合シート１３の下側縁１３ｄ（第３袋状部２３の開口縁）が下に凸に湾曲しているので、背面側重合シート１３の適度な撓みが得られ、作業者はこの作業を容易に行うことができる。
【００４４】
またこのとき、第３接合部１７を境にして背面シート１４と背面側重合シート１３とがハンガーを前後に跨ぐようになるので、背面シート１４の上下前後位置が規制される。また第３接合部１７の上端（点Ｃ３，Ｃ４）に相当する位置にハンガーフック取出口３の左端３ｂが形成される。従ってハンガーフック取出口３の右端３ａと左端３ｂとによって背面シート１４の左右位置が規制される。
【００４５】
図６は洋服カバー１の装着第３段階完了状態を示す説明図であって、（ａ）は正面から見た状態、（ｂ）は背面から見た状態を示す。装着の第３段階では、作業者は洋服５０の前面にあってまだ位置規制されていない前面側重合シート１２を背面シート１４の背面に回し掛ける。すなわち図６（ｂ）に示すように、第２袋状部２２に洋服５０の左肩部を収納させる。前面側重合シート１２の下側縁１２ｄ（第２袋状部２２の開口縁）が下に凸に湾曲しているので、前面側重合シート１２の適度な撓みが得られ、作業者はこの作業を容易に行うことができる。
【００４６】
またこのとき、第２接合部１６を境にして前面シート１１と前面側重合シート１２とがハンガーを前後に跨ぐようになるので、前面シート１１の上下前後位置が規制される。それと同時に、第３接合部１７の上に第２接合部１６を重ねるようにして第３袋状部２３が第２袋状部２２に収納されるので、第２接合部１６と第３接合部１７とが係合し、洋服カバー１の左側において上側縁が閉じる。
【００４７】
さらに前面側重合シート１２においてもハンガーフック取出口３の左端３ｂが形成される。従って、ハンガーフック取出口３の右端３ａと左端３ｂとによって前面シート１１の左右位置が規制され、ハンガーフック取出口３の形成が完了する。
【００４８】
こうして第３段階が完了すると、洋服カバー１の、ハンガーフック取出口３を除く上側縁が閉じるとともに下縁が開放した袋形状が完成すると同時に、各シートの上下前後左右位置が適正に規制されて洋服５０への装着も完了する。
【００４９】
洋服カバー１を装着後は、ネームホルダ３０に適宜必要な情報を記載した名札等を収納しておくことにより、洋服５０の整理や管理を容易に行うことができる。
【００５０】
以上説明したように洋服カバー１は、基本的に４枚の可撓性シート（前面シート１１、前面側重合シート１２、背面側重合シート１３、背面シート１４）からなる簡単な構造でありながら、ハンガー掛けからハンガーを取外すことなくそのハンガーに掛けられた洋服に装着させることができる。
【００５１】
以上、本発明の実施形態について説明したが、本発明は上記実施形態に限定するものではなく、各請求項の範囲で適宜変形して良い。例えば、上記実施形態では、第１接合部１５を右側、第２接合部１６および第３接合部１７を左側として説明したが、これを左右逆に製造しても良く、また表裏逆に使用しても良い。
【００５２】
また使用方法（装着方法）として、第２段階と第３段階の順序を逆にしても良い。すなわち先に第２袋状部２２に洋服の肩部を収納させ、その上から第３袋状部２３に洋服の肩部を収納させるようにしても良い。その場合、ネームホルダ３０が背面側重合シート１３に覆われて隠されるが、ネームホルダ３０を一見して容易に見えないようにする必要がある場合には、そのような装着方法が有効である。なお何れの装着方法でもネームホルダ３０が隠れないようにするにはネームホルダ３０を例えば前面シート１１の右側に設ければ良い。
【００５３】
前面側重合シート１２および背面側重合シート１３の下側縁１２ｄおよび下側縁１３ｄの形状は、必ずしも下に凸の湾曲形状でなくても良い。例えば上に凸の湾曲形状であっても良く、直線或いは折れ線形状であっても良い。また前面側重合シート１２と背面側重合シート１３とは必ずしも同形である必要はなく、形状や大きさの異なるものであっても良い。上記実施形態のように同形とした場合には、対称性が高いので使用時の柔軟性を高めることができる。
【００５４】
上記実施形態では洋服カバー１を丈の短いショルダーカバーであるとした。このようなショルダーカバーは比較的手軽に使用されるので本発明の効果を顕著に奏するという利点があるが、これをより丈の長いタイプの洋服カバーとしても良く、その場合にも本発明の効果を充分奏する。
【図面の簡単な説明】
【００５５】
【図１】本発明の実施形態に係る洋服カバーの装着状態を示す正面図である。
【図２】上記洋服カバーの分解斜視図である。
【図３】上記洋服カバーの完成状態を示す斜視図である。
【図４】上記洋服カバーの装着前の状態を示す説明図である。
【図５】上記洋服カバーの装着途中状態を示す説明図であって、（ａ）は第１段階完了時点、（ｂ）は第２段階完了時点の各状態を示す。
【図６】上記洋服カバーの装着第３段階完了状態を示す説明図であって、（ａ）は正面から見た状態、（ｂ）は背面から見た状態を示す。
【符号の説明】
【００５６】
１      洋服カバー
１１    前面シート
１２    前面側重合シート
１３    背面側重合シート
１４    背面シート
１５    第１接合部
１６    第２接合部
１７    第３接合部
２１    第１袋状部
２２    第２袋状部
２３    第３袋状部
【図１】
2008110133.tif 000003
【図２】
2008110133.tif 000004
【図３】
2008110133.tif 000005
【図４】
2008110133.tif 000006
【図５】
2008110133.tif 000007
【図６】
2008110133.tif 000008